(57)【要約】【課題】ストラップを極めて薄くすることができ、衣類に着けた際に、上からの圧迫による違和感をなくして着け心地を良くし、ストラップの正面部には同一のストラップが現れ体裁が良くなり、調整具付きストラップを極めて容易に製造できる衣類用のストラップおよびその製造方法を提供する。【解決手段】衣類に接続されて肩に掛けられるストラップである。ストラップ１の一端部を長さ調整具３の下部横杆３ａまたは中央部横杆３ｂに引っ掛けてストラップ１を貼り合わせる。【選択図】図４
2010095802.tif 000002
【特許請求の範囲】
【請求項１】
衣類に接続されて肩に掛けられるストラップであって、ストラップの一端部を長さ調整具の下部横杆または中央部横杆に引っ掛けてストラップを貼り合わせたことを特徴とする衣類用のストラップ。
【請求項２】
ストラップは、長さ方向に伸縮性を有する細幅テープであることを特徴とする請求項１に記載の衣類用のストラップ。
【請求項３】
ストラップは、熱接着フィルムまたは接着剤を塗着した接着シートを介して細幅テープを貼り合わせたことを特徴とする請求項１または２に記載の衣類用のストラップ。
【請求項４】
ストラップは、ブラジャーの身生地を貼り合わせたことを特徴とする請求項１乃至３のいずれか１項に記載の衣類用のストラップ。
【請求項５】
ストラップはプリント模様が施されたブラジャーの身生地を張り合わせたことを特徴とする請求項４に記載の衣類用のストラップ。
【請求項６】
幅広生地の片面に熱接着フィルムまたは接着剤を塗着した接着シートを仮付けする工程と、その幅広生地を所定の細幅テープに裁断する工程と、裁断された細幅テープの一端を熱接着フィルムまたは接着剤を塗着した接着シートを内面になるように調整具の下部横杆または中央部横杆に引っ掛ける工程と、引っ掛けた細幅テープを加熱して貼り合せる工程からなることを特徴とする衣類用のストラップの製造方法。
【発明の詳細な説明】
【技術分野】
【０００１】
本発明は、ブラジャー、ブラスリップ、ボディスーツ、キャミソール、水着などにおける衣類のストラップ及びその製造方法に関するものである。
【背景技術】
【０００２】
女性用インナーウエアー、ファンデーションおよびアウターウエアーなどの衣類にはストラップが装着されている。このストラップは、着用者のバストシルエットを美しく見せるため、カップ部を下にずれ落ちないように吊り上げることによりバストを整容する機能を有している。
【０００３】
そのストラップは、通常、長さ方向に伸縮性を有する細幅織物や細幅編地で構成されていると共に、長さを調整できるようにエイト環（８字環）と称する調整具を取り付けてあり、バストのトップ位置は個人差があることから、調整具を上下に動かしてバストカップを理想の高さに調整できるようになっている。
【０００４】
すなわち、一般的なストラップ２１は、図９〜図１０に示すように、ストラップ２１の
一端部をエイト環２２の中央部横杆２３に引っ掛けた状態で該端部２４を重ね合わせて縫着２５し、ストラップ２１を下方に伸ばし、カップ上部に設けた連結環（図示せず）に通して折り返した後、エイト環２２の下方挿通孔２６の裏面から挿入して表面に出し、中央部横杆２３の上面から上方挿通孔２７に挿入して裏面に出し、バック布（図示せず）に繋げているのが知られている（例えば、特許文献１，２）。
【０００５】
また、別のものとして、図１１〜図１２に示すように、ストラップ３１の一端部をエイト環３２の下部横杆３３に引っ掛けた状態で該端部３４を重ね合わせて縫着３５し、ストラップ３１を下方に伸ばし、カップ上部に設けた連結環（図示せず）に通して折り返した後、エイト環３２の下方挿通孔３６の裏面から挿入して表面に出し、中央部横杆３７の上面から上方挿通孔３８に挿入して裏面に出し、バック布（図示せず）に繋げているのが知られている（例えば、特許文献３）。
【０００６】
【特許文献１】特開２０００−５４２１３号公報
【特許文献２】登録実用新案３０７４９９６号公報
【特許文献３】特開２００４−７６１７３号号公報
【発明の開示】
【発明が解決しようとする課題】
【０００７】
しかしながら、上記の特許文献１，２は、ストラップ２１を、エイト環２２の中央部横杆２３に引っ掛けて折り返した端部２４を縫製２５で固定しているため、エイト環２２の取り付けられた部分が重なり、分厚くなって局部的圧迫が加わり着用した時に着心地が悪くて不快感を与えるばかりでなく、薄い生地のアウターを着用した場合に、エイト環２２の突起が目立ちシルエットが崩れて不体裁になるといった問題点があった。また、製造上極めて能率が悪いばかりでなく、長期の使用に際しては縫着部がほつれて外れてしまうといった問題点があった。
【０００８】
また、上記の特許文献３は、ストラップ３１を、カップ上部に設けた連結環（図示せず）に通して折り返した後、エイト環３２の下方挿通孔３６の裏面から挿入して表面に出たストラップ３１の裏面３１ｂが表側に出ることになり、ストラップ３１の正面部には表面３１ａだけが現れるのでなく、裏面３１ｂも現れることになり、表裏面３１ａ，３１ｂが異なる編組織で編まれている場合には、見た目が異なり不体裁であるといった問題点があった。
【０００９】
本発明は、上記のような問題を解決することを課題として研究開発されたもので、ストラップを貼り合わせて極めて薄くすることができ、衣類に着けた際に、上からの圧迫による違和感をなくして着け心地を良くし、ストラップの正面部には同一のストラップが現れ体裁が良くなり、調整具付きストラップを極めて容易に製造できる衣類用のストラップおよびその製造方法を提供することを目的とするものである。
【課題を解決するための手段】
【００１０】
上記の課題を解決し、その目的を達成する手段として、本発明は、衣類に接続されて肩に掛けられるストラップであって、ストラップの一端部を長さ調整具の下部横杆または中央部横杆に引っ掛けてストラップを貼り合わせたことを特徴とする衣類用のストラップを開発し、採用した。
【００１１】
また、本発明では、上記のように構成した衣類用のストラップにおいて、ストラップは、長さ方向に伸縮性を有する細幅テープであることを特徴とする衣類用のストラップ、およびストラップは、熱接着フィルムまたは接着剤を塗着した接着シートを介して細幅テープを貼り合わせたことを特徴とする衣類用のストラップ、およびストラップはブラジャーの身生地を貼り合わせたことを特徴とする衣類用のストラップ、およびストラップはプリント模様が施されたブラジャーの身生地を貼り合わせたことを特徴とする衣類用のストラップを開発し、採用した。
【００１２】
また、本発明は、幅広生地の片面に熱接着フィルムまたは接着剤を塗着した接着シートを仮付けする工程と、その幅広生地を所定の細幅テープに裁断する工程と、裁断された細幅テープの一端を熱接着フィルムまたは接着剤を塗着した接着シートを内面になるように調整具の下部横杆または中央部横杆に引っ掛ける工程と、引っ掛けた細幅テープを加熱して貼り合わせる工程からなることを特徴とする衣類用のストラップの製造方法を開発し、採用した。
【発明の効果】
【００１３】
本発明は、ストラップの一端を調整具の下部横杆または中央部横杆に引っ掛けてストラップを貼り合わせてあるから、表裏面が同じストラップとなり厚さが従来のものよりかなり薄くなって着け心地がよくなる。また、折り返し部や縫製部がないために、肌あたりがやさしくなると共に、表裏のないスッキリとした外観になり解れがなくなる。
【００１４】
さらに、ストラップの一端を調整具の下部横杆に引っ掛けてストラップを貼り合わせた場合に、従来はストラップの正面部にストラップの表面と裏面が現れて不体裁であったが、本発明では表裏面が同じストラップであるから、ストラップの正面部は同じストラップが現れ異なることがなくなる。また、熱接着フィルムまたは接着剤を塗着した接着シートの厚さ、種類などでストラップの伸縮性を自由に選定できる。
【００１５】
さらに、プリント模様が施された身生地のブラジャーにおいて、その身生地を貼り合わせてストラップにすることにより、ブラジャー全体のトータルファッションが可能となり、センス溢れた美麗なブラジャーになる。また、ストラップを貼り合わせることにより、調整具付きストラップを極めて容易に製造できる。
【発明を実施するための最良の形態】
【００１６】
以下に、本発明の実施の形態を添付図面に基づいて説明すれば、図２〜図４は本発明の第１実施の形態を示しており、１はウレタン弾性糸をナイロン繊維、ポリエステル繊維などで被覆してなる伸縮性良好な糸条により編まれたり、織られた細幅テープのストラップであり、片面に熱接着フィルムまたは接着剤を塗着した接着シート２が形成されている。
【００１７】
３は薄い金属板材を略８字状に打ち抜き表面を合成樹脂で被覆したストラップの長さ調整具であり、下部横杆３ａ、中央部横杆３ｂ、上部横杆３ｃ、縦側杆３ｄ，３ｄが一体的に連設されており、下部横杆３ａと中央部横杆３ｂとの間に横長円形の下部挿通孔４および中央部横杆３ｂと上部横杆３ｃとの間に横長円形の上部挿通孔５が穿設されている。  
【００１８】
このように構成されたストラップ１と調整具３の取り付けは、ストラップ１の一端部を接着シート２が内面側になるようにして調整具３の下部横杆３ａに引っ掛け、接着シート２を腹合せとしてストラップ１を加熱・加圧して貼り合わせるものである。
【００１９】
調整具３が一体的に取り付けられたストラップ１は、図４に示すように、その他端をカップ布の上部に取り付けた連結環（図示せず）に通して折り返し、調整具３の裏面側から下部挿通孔４に通して表面側に出し、中央部横杆３ｂを介して上部挿通孔５に挿通して裏面側に出しバック布（図示せず）に縫着される。
【００２０】
このように構成したストラップ１は、調整具３を上方移動させることにより短くなり、下方に移動させることにより長くなるので、ストラップ１の長さを自由に調整できる。そして、従来のストラップのように、調整具の中央部横杆に折り返し端部を縫着する必要がないから、ストラップが薄くてすっきりとした外観になり体裁が良くなると共に、表裏同一のストラップを貼り合わせてあるから、ストラップの正面部には従来のように、表面と裏面が現れて異なるようなことがなくなり、厚みが均一になり肌あたりも良くなって着心地が良好になる。
【００２１】
つぎに、図５〜図７は本発明の第２実施の形態を示しており、上記第１実施の形態と相違しているのは、調整具３の引っ掛け位置が下部横杆３ａから中央部横杆３ｂに代わっただけであり、ストラップ１の片面に接着シート２を設けてある点、略８字状に打ち抜かれた長さ調整具３である点などの構成に変更はなく、同一部分には同一符号を付して説明は省略する。
【００２２】
この第２実施の形態によれば、ストラップ１の一端部が中央部横杆３ｂに引っ掛けられて貼り合わせ、図７に示すように、その他端をカップ布の上部に取り付けた連結環（図示せず）に通して折り返し、調整具３の裏面側から下部挿通孔４に通して表面側に出し、中央部横杆３ｂを介して上部挿通孔５に挿通して裏面側に出しバック布（図示せず）に縫着されることから、前記第１実施形態の場合、調整具３の部分の厚さがストラップを含んで約２．７ｍｍであったが、この第２実施形態ではそれよりも厚く約３．２ｍｍになるが、従来の折り返し端部縫着の調整具の部分の厚さがストラップを含んで約５．０ｍｍになることからそれと比べるとかなり薄くなる。
【００２３】
図８に示すのは本発明の第３実施の形態を示しており、前記第１および第２実施の形態
では、無地のストラップであったが、この実施の形態では、プリント模様の施されたブラジャーの身生地１０と同生地を貼り合わせてストラップ１１としたものであり、当然のことながらストラップ１１と調整具３との取り付けは前記実施の形態１と同じようになっている。
【００２４】
この実施の形態によれば、ストラップ１１に身生地１０と同じプリント模様１２が施されたことになり、ブラジャー全体のトータルファッションとしてセンスのある美麗なブラジャーを作り出すことができる。
【００２５】
つぎに、本発明に係るストラップ１の製造方法の好適な実施の形態をストラップ１の一
端が調整具３の下部横杆３ａに取り付けられる例の製造工程順にしたがって説明する。
【００２６】
まず、ウレタン弾性糸をナイロン繊維、ポリエステル繊維などで被覆した伸縮性良好な糸条により広幅の編み生地または織り生地を得て、熱接着フィルムとしてウレタンエラストマーフィルム２を表面に仮止めする第１工程。
【００２７】
つづいて、その広幅生地の幅方向にストラップの幅１０，１２，１４ｍｍなど所定幅でスリッターにより縦方向に切断して細幅テープのストラップ１を得る第２工程。
【００２８】
この細幅テープのストラップ１の一端部を、薄い金属板材を略８字状に打ち抜いて表面を合成樹脂で被覆した長さ調整具３の下部横杆３ａに、ウレタンエラストマーフィルム２を内側面として引っ掛ける第３工程。
【００２９】
下部横杆３ａに引っ掛けられた細幅テープのストラップ１のウレタンエラストマーフィルム２を腹合せとし熱プレスで上下から加圧して接合する第４工程によりストラップ１に調整具３が取り付けられる。
【００３０】
この方法により得られたストラップ１は、例えば、ブラジャーのストラップとして使用でき、ストラップ１の一端部を、カップ布の上部に取り付けられた連結杆（図示せず）に通して折り返し、上方にある調整具３の下部挿通孔４の裏面側から挿通されて中央部横杆３ｂの表面側に出て、上部挿通孔５に入り、上部横杆３ｃの裏面からバック布（図示せず）に繋ぐものである。これによりストラップ１の長さを調整できるものである。
【００３１】
以上、本発明の主要な実施の形態について説明したが、本発明はこれらの実施の形態に限定されるものではなく、発明の目的を達成でき、且つ発明の要旨を逸脱しない範囲内で種々の設計変更が可能であることは勿論のことである。
【産業上の利用可能性】
【００３２】
本発明は、ブラジャーに限らず、ブラスリップ、ボディスーツ、水着などの肩紐を有する衣類全般に利用できる。
【図面の簡単な説明】
【００３３】
【図１】本発明のストラップと調整具の斜視図である。
【図２】本発明の第１実施形態を示すストラップの一端を下部横杆に取り付けた正面図である。
【図３】ストラップを調整具に通した正面図である。
【図４】図３の側面図である。
【図５】本発明の第２実施形態を示すストラップの一端を中央部横杆に取り付けた正面図である。
【図６】ストラップを調整具に通した正面図である。
【図７】図６の側面図である。
【図８】本発明の第３実施形態を示すストラップとブラジャーの正面図である。
【図９】従来例のストラップの側面図である。
【図１０】図９の要部の拡大断面図である。
【図１１】別な従来例のストラップの側面図である。
【図１２】図１１の要部の拡大断面図である。
【符号の説明】
【００３４】
１    ストラップ
２    接着シート
３    調整具
３ａ  下部横杆  
３ｂ  中央部横杆
【図１】
2010095802.tif 000003
【図２】
2010095802.tif 000004
【図３】
2010095802.tif 000005
【図４】
2010095802.tif 000006
【図５】
2010095802.tif 000007
【図６】
2010095802.tif 000008
【図７】
2010095802.tif 000009
【図８】
2010095802.tif 000010
【図９】
2010095802.tif 000011
【図１０】
2010095802.tif 000012
【図１１】
2010095802.tif 000013
【図１２】
2010095802.tif 000014